(57)【特許請求の範囲】
【請求項１】
装置本体に取り付けられる基端部及び設置面に当接する先端部を有するチルト脚部材と、一端が該チルト脚部材の中間部に取り付けられ該チルト脚部材と共働して前記装置本体を所定の傾斜角度に支えるチルトステーとを有するチルト支脚と、
前記装置本体の裏面に設けられており、前記チルト支脚のチルトステーが選択的に係脱可能に係合する複数の係止歯を縦列させた係止歯列を有する係止部と、
前記装置本体の下面部に設けられた前記設置面に当接する接地部と、
前記チルト脚部材の基端部を連結して前記チルト支脚を装置本体に揺動可能に取り付けるチルト支脚枢支部であって、前記係止部の下方で且つ前記接地部の上方に位置するチルト支脚枢支部と、
前記チルト支脚に設けられており、前記チルトステーの他端を前記係止部側に付勢する付勢手段と、
前記装置本体及び前記チルト支脚の前記設置面に当接する側に設けられた滑り止め手段と、
を備えたことを特徴とする電子装置のチルト装置。
【請求項２】
前記滑り止め手段を、前記装置本体の設置面に当接する側に設けられた接地部と、前記チルト支脚の設置面に当接する側に設けられ且つ前記接地部の摩擦係数より大きい摩擦係数を有する接地ブロックとで構成した請求項１記載の電子装置のチルト装置。
【請求項３】
前記接地部を、装置本体のハウジングの下側部位の裏側に左右方向に所定の間隔をおいて複数の縦スリットを形成した構成にした請求項２記載の電子装置のチルト装置。
【発明の詳細な説明】
【０００１】
【発明の属する技術分野】
本発明は、表示部とこの表示部への表示を操作する表示操作部を有する電子装置を段階的に傾動させるチルト装置に関するものである。
【０００２】
【従来の技術】
従来、表示機能や操作機能を有する機器より構成される電子装置の装置本体は、図２４に示すように箱状のハウジング１２０を備えており、このハウジング１２０の前面の操作面部にはディスプレイ１２１、各種操作ボタン１２２等が装着してあり、また、ハウジング１２０には、その操作性を高めるためにチルトアーム１２３を備えている。また、電子装置の装置本体は、設置面に当接する滑り止め用に足部材１２５を備えている。
【０００３】
そして、チルトアーム１２３を作動して操作面部の傾斜角度を変更する場合には、両側のボタン１２４を押しながらチルトアーム１２３を回動させている。
【０００４】
【発明が解決しようとする課題】
しかしながら、上記したチルトアーム１２３の場合には、このチルトアーム１２３を作動して操作面部の傾斜角度を変更するのに、両側のボタン１２４を押しながらチルトアーム１２３を回動するように、両側のボタン１２４を同時操作しなけらばなず、操作性が悪かった。また、電子装置を設置面に設置したとき、設置面後部がチルトステー１２３に、前部が装置本体の下部の足部材１２５に当接しているが、チルトステー１２３が足部材１２５に比べて摩擦係数が小さく、操作性が落ちるという問題点があった。
【０００５】
本発明は、上記の問題点に着目して成されたものであって、その目的とするところは、すべてのオペレータに対応させ得て、操作機器の操作性、表示部の視認性の向上を図り得る電子装置のチルト装置を提供することにある。
【０００６】
【課題を解決するための手段】
上記の目的を達成するために、請求項１の発明に係わる電子装置のチルト装置は、装置本体に取り付けられる基端部及び設置面に当接する先端部を有するチルト脚部材と、一端が該チルト脚部材の中間部に取り付けられ該チルト脚部材と共働して前記装置本体を所定の傾斜角度に支えるチルトステーとを有するチルト支脚と、前記装置本体の裏面に設けられており、前記チルト支脚のチルトステーが選択的に係脱可能に係合する複数の係止歯を縦列させた係止歯列を有する係止部と、前記装置本体の下面部に設けられた前記設置面に当接する接地部と、前記チルト脚部材の基端部を連結して前記チルト支脚を装置本体に揺動可能に取り付けるチルト支脚枢支部であって、前記係止部の下方で且つ前記接地部の上方に位置するチルト支脚枢支部と、前記チルト支脚に設けられており、前記チルトステーの他端を前記係止部側に付勢する付勢手段と、前記装置本体及び前記チルト支脚の前記設置面に当接する側に設けられた滑り止め手段とを備えたことを特徴とする。
【０００７】
かかる構成により、前記装置本体の前傾操作（引き起こし操作）により前記チルトステーを前記係止部の係止歯列の複数の係止歯上に滑らせ、前傾操作を停止することにより前記チルトステーを複数の係止歯のいずれかに選択的に係脱可能に係止させて装置本体をある角度に保持する。このように、前記チルト支脚を手で触ることなく、前記装置本体を前、後傾操作するだけで装置本体を選択的に所定の角度に保持することが可能になる。そして、前記装置本体の傾斜角度を大きくするに従って、チルト脚部材の先端下部が装置本体側の当接面側に必然的に移動する。また、前記装置本体の傾斜角度を小さくすると、装置本体の当接面が、チルト脚部材の先端下部面から遠ざかる方向に移動するようになり、装置本体の傾斜角度変更を容易に行うことができる。この場合において、前記滑り止め手段があることにより、操作性の安定を図ることができ、すべてのオペレータに対応させ得て、操作機器の操作性、表示部の視認性の向上を図り得る。
【０００８】
また、上記の目的を達成するために、請求項２の発明に係わる電子装置のチルト装置は、請求項１記載の電子装置のチルト装置において、前記滑り止め手段を、前記装置本体の設置面に当接する側に設けられた接地部と、前記チルト支脚の設置面に当接する側に設けられ且つ前記接地部の摩擦係数より大きい摩擦係数を有する接地ブロックとで構成した。
【０００９】
かかる構成により、上記した請求項１の発明の作用と同様な作用を奏し得るばかりか、前記装置本体の傾斜角度を大きくする場合は、装置本体の接地部を基点として可動し、前記装置本体の傾斜角度を小さくする場合は、前記チルト支脚の接地ブロックを基点として可動するため、傾斜角度の調整を容易に行うことができる。
【００１０】
また、接地部より接地ブロックの摩擦係数を大きくしたことにより、前記装置本体の傾斜角度が大きいときでも、電子装置を安定的に保持し操作性を向上させることができる。
【００１１】
また、上記の目的を達成するために、請求項３の発明に係わる電子装置のチルト装置は、請求項２記載の電子装置のチルト装置において、前記接地部を、装置本体のハウジングの下側部位の裏側に左右方向に所定の間隔をおいて複数の縦スリットを形成した構成にした。
【００１２】
かかる構成により、上記した請求項１又は請求項２の発明の作用と同様な作用を奏し得るばかりか、前記接地部の構成が簡単であって、容易に製作することができる。
【００１３】
【発明の実施の形態】
以下、本発明の実施の形態を図面に基づいて説明する。
図１は本発明に係わるチルト装置を備えた電子装置のディリーディングボードに設置したシステム構成の斜視図、図２は本発明に係わるチルト装置を備えた電子装置の正面側からの斜視図、図３は本発明に係わるチルト装置を備えた電子装置の裏面側からの斜視図である。
【００１４】
図１に示すようにディリーングデスクＢの設置面Ｆに設置して使用される電子装置Ａの装置本体１は、図２に示すように四角枠状のハウジングＡ１にディスプレイ（例えば、感圧式タッチパネル付ディスプレイ）２を備えたものであり、ハウジングＡ１の左、右側部位には上下方向に３個のサイドボタン３とランプ４が設けてあり、ハウジングＡ１の上側部位には、左右のスピーカ５と複数の上部ボタン６とランプ７とが設けてあり、ハウジングＡ１の下側部位には、左、右側に位置させてハンドセット接続コネクタ８が、中央部に位置させて埋込みマイクロホン９がそれぞれ設けてある。
【００１５】
また、ハウジングＡ１の下側部位の裏側の左右の角部には図４の（１）、（２）に示すように左右方向に所定の間隔をおいて複数の縦スリット８１を形成した接地部８０が形成してある。
【００１６】
電子装置Ａの裏面Ａ２にはチルト装置Ｔが設けてある。このチルト装置Ｔは、裏面Ａ２の左、右側に設けられた係止部１０と、裏面Ａ２の左、右側に設けられて係止部１０の下方で且つ接地部８０の上方に位置するチルト支脚枢支部１１と、このチルト支脚枢支部１１に着脱可能に連結されるチルト支脚１２とから略構成してある。このチルト支脚１２は、チルト脚部材１３と、このチルト脚部材１３に前後方向に揺動可能に設けられて係止部１０に係脱可能に係止するチルトステー１４とで構成してある。
【００１７】
左右の係止部１０は同構成であり、これらの係止部１０は、前記ハウジングＡ１の樹脂成形時に、このハウジングＡ１と一体に形成されるものである。そして、係止部１０は、ハウジングＡ１の裏面に形成された上下方向に沿う条溝１５を有しており、この条溝１５の底面部には、仕切り壁部１６と、第１の係止歯列１７と、第２の係止歯列１８とが、条溝１５の軸線方向に平行に形成してある。
【００１８】
そして、仕切り壁部１６は、条溝１５の一方の側壁部１５Ａから離れた位置にあって、仕切り壁部１６と一方の側壁部１５Ａとで帰還経路である第１のスライド溝部２０Ａが形成してある。また、第１の係止歯列１７は仕切り壁部１６の側部に一体に形成してあり、第２の係止歯列１８は、条溝１５の他方の側壁部１５Ｂに一体に形成してあって、第１の係止歯列１７と第２の係止歯列１８とは所定の間隔で離れていて第１、第２の係止歯列１７、１８の間には帰還経路である第２のスライド溝部２０Ｂが形成してある。
【００１９】
そして、第１、第２の係止歯列１７、１８には複数の係止歯１９−１、１９−２、１９−３、１９−４、１９−５、１９−６が形成してあり、これらの係止歯１９−１〜１９−６のピッチＰ１、Ｐ２、Ｐ３、Ｐ４、Ｐ５が互いに異なっている。係止歯１９−１〜１９−６の上面は傾斜面部２１Ａに、下面は歯端面２１に対して略直角な係止面部２１Ｂにそれぞれしてある。
【００２０】
そして、第１、第２のスライド溝部２０Ａ、２０Ｂの上端側には一方の切替案内部である上側切替案内部２２が、下端側には他方の切替案内部である下側切替案内部２３がそれぞれ設けてある。上側切替案内部２２は、図８に示すように第１の係止歯列１７の上端の係止歯１９−１の傾斜面部２１Ａを形成する凹部２４と、条溝１５の上端壁面部２５と、条溝１５の一方の側壁部１５Ａと上端壁面部２５との間に設けられて第１のスライド溝部２０Ａの上端側に位置する傾斜壁面部２６と、第１のスライド溝部２０Ａの上端部に位置する第１の乗上げ面部２７と、第２のスライド溝部２０Ｂの上端部に位置する第２の乗上げ面部２８とを備えており、第１の乗上げ面部２７には、第１のスライド溝部２０Ａ側に傾斜する斜面部２９と、前記凹部２４側に傾斜する斜面部３０とが形成してあり、第２の乗上げ面部２８には、第２のスライド溝部２０Ｂ側に傾斜する斜面部３１と、第２の係止歯列１８の上端の係止歯１９−１の傾斜面部２１Ａを形成する凹部２４側に傾斜する斜面部３２とが形成してある。
【００２１】
また、前記下側切替案内部２３は、図９に示すように仕切り壁部１６の下端部に形成された切欠き部３３と、第１のスライド溝部２０Ａの下端部に位置し且つこの第１のスライド溝部２０Ａ側に傾斜する斜面部３４と、第２のスライド溝部２０Ｂの下端部に位置し且つこの第２のスライド溝部２０Ｂ側に傾斜する斜面部３５と、第１の係止歯列１７の下端の係止歯１９−６の係止面部２１Ｂを形成する凹部３６に連なり前記斜面部３４側に傾斜する斜面部３７と、第２の係止歯列１８の下端の係止歯１９−６の係止面部２１Ｂを形成する凹部３８に連なり前記斜面部３５側に傾斜する斜面部３９とを備えている。
【００２２】
前記チルト支脚枢支部１１は、図１０に示すように前記ハウジングＡ１の樹脂成形時に、このハウジングＡ１と一体に形成されるものである。そして、チルト支脚枢支部１１は、ハウジングＡ１の裏面１Ｂに形成された四角形状の凹陥部４０を備えており、この凹陥部４０の底面部４０Ｂの上側は抜け（開口）ている。そして、前記凹陥部４０には、この凹陥部４０の下端面部４０Ａから凹陥部４０の底面部４０Ｂにかけて２条のスリット４１が形成してあって、上向きに舌片状の下側ステー軸保持部４２が形成してあり、この下側ステー軸保持部４２には円弧状のステー軸嵌合部４３が形成してある。
【００２３】
また、凹陥部４０の上部の左右には、側面逆Ｌ字形状の上側ステー軸保持部４４が突設してあり、これらの上側ステー軸保持部４４の内面には円弧状のステー軸嵌合部４５が形成してあって、このステー軸嵌合部４５は、下側ステー軸保持部４２のステー軸嵌合部４３に対向している。また、左右の上側ステー軸保持部４４間には、下側ステー軸保持部４２側に傾斜する斜面よりなるステー回止め部４６が形成してある。
【００２４】
前記チルト支脚１２は、図１１に示すようにチルト脚部材１３と、このチルト脚部材１３に前後方向に揺動可能に設けられて係止部１０に係脱可能に係止するチルトステー１４とで構成してある。チルト脚部材１３は、その基部側が上向きに屈曲した部材本体４７を備えており、部材本体４７の基端部にはチルトステー軸４８が設けてある。部材本体４７の中間部にはチルトステー取付部４９が、部材本体４７の先端部にはレベル調整機構取付部５０とがそれぞれ設けてある。
【００２５】
チルトステー取付部４９は、図１１及び図１２に示すように部材本体４７の上面部４７Ａから下面部４７Ｂに抜ける平面長方形状の孔状部５１を備えており、孔状部５１の両端壁面部５１Ａ、５１Ｂは孔状部５１の中心側に向かって傾斜する傾斜面に成されており、壁面部５１Ｂの裏側に設けられたリブ部５２にはスリット状のばね係止部５３が形成してある。また、前記孔状部５１の左、右の側壁面部５１Ｃ、５１Ｄにはピン孔５４、５５が設けてあり、また、左の側壁面部５１Ｃにはワッシャー挿入溝部５６が形成してある。そして、部材本体４７の裏側には孔状部５１を挟んだ前後に取付ボス部８５、８６が設けてある。
【００２６】
前記レベル調整機構取付部５０は、部材本体４７の上面部４７Ａから端面部４７Ｃに抜ける平面長方形状の凹陥部５７を備えており、この凹陥部５７にはリブ部５８が形成してあり、凹陥部５７の底部５７Ａには孔５９が、また、先端寄りにボス部６０が形成してあり、このボス部６０にはナット部材６１が圧入してある。そして、前記凹陥部５７にはカバー６２が挿入してある。すなわち、カバー６２は、その上部に側面コ字形状に屈曲した屈曲部６３を有しており、この屈曲部６３の端面部６３Ａにはねじ孔６４が設けてある。
【００２７】
そして、屈曲部６３を凹陥部５７に挿入して屈曲部６３の端面部６３Ａを凹陥部５７の底部５７Ａの表側に当接すると共に、この底部５７Ａの裏側に短冊状の板ばね６５を沿わせて、この板ばね６５に設けた孔６５ａから前記孔５９を介して前記ねじ孔６４にトラスねじ６６をねじ込んで板ばね６５とカバー６２とを友締めして、板ばね６５とカバー６２とが部材本体４７に固着してある。そして、前記板ばね６５の先側の裏面にはねじ６７により弾性材より成る接地ブロック６８が取り付けてあり、また、前記ナット部材６１には調整ねじ６９が螺装してあり、この調整ねじ６９の端部が前記板ばね６５の端部上面に当接していて、これらでレベル調整機構Ｈを構成している。
【００２８】
前記チルトステー１４は断面コ字形状の棒状のステー本体７０を備えており、このステー本体７０の両側壁部７０Ａの基端部の支承部７４にはピン孔７１が形成してある。また、ステー本体７０の上端部には係止部７２が形成してある。この係止部７２は、ステー本体７０の両側壁部７０Ａの端部を円弧状に加工し且つステー本体７０の上面部７０Ｂの先端部に溝７３を形成して構成してあり、互いに離間した第１、第２の係止片部７２Ａ、７２Ｂを有している。
【００２９】
そして、前記チルトステー１４は、その支承部７４を、前記部材本体４７のチルトステー取付部４９の孔状部５１に挿入して、この孔状部５１の左、右壁面部５１Ｃ、５１Ｄのピン孔５４、５５及び前記ピン孔７１を使用して、これらのピン孔５４、５５、７１に支承ピン７５を挿入して、前記チルトステー１４がチルト脚部材１３に回動可能に取り付けてある。
【００３０】
この場合、前記支承ピン７５にはワッシャ７６が固着してあり、このワッシャ７６は前記ワッシャー挿入溝部５６に挿入してあるし、また、前記チルトステー１４内において、前記支承ピン７５には付勢手段である捩じりばね７７が設けてあり、この捩じりばね７７の一端部はチルトステー取付部４９のリブ部５２のばね係止部５３に係止してあり、捩じりばね７７の他端部は前記チルトステー１４の内部に設けたばね係止部７８に係止してある。このために、このチルトステー１４は捩じりばね７７により図１２において反時計回り方向に付勢されている。
【００３１】
そして、この捩じりばね７７の性質上、チルトステー１４を図３において左方向に付勢しており、この付勢力によりチルトステー１４は、支承ピン７５とピン孔７１との間のクリアランスの分だけ左方向に傾いている。
【００３２】
上記のように構成された前記チルト支脚１２は、そのチルト脚部材１３のチルトステー軸４８を前記チルト支脚枢支部１１に連結して前記ハウジングＡ１に装着してある。すなわち、前記チルトステー軸４８をチルト支脚枢支部１１の凹陥部４０に挿入した後に、上、下側ステー軸保持部４４、４２の円弧状のステー軸嵌合部４５、４３間に強制的に嵌合することにより、チルトステー軸４８のハウジングＡ１への装着が行われる。この場合、下側ステー軸保持部４２が片持ちでばね性を有しているために、チルトステー軸４８を上、下側ステー軸保持部４４、４２のステー軸嵌合部４５、４３で回転可能に挟持する。
【００３３】
そして、前記チルト支脚１２のチルトステー１４は、その先端部の係止部７２の互いに離間した第１、第２の係止片部７２Ａ、７２Ｂを第１、第２の係止歯列１７、１８の係止歯に係脱可能に係止している。
【００３４】
次に、上記のように構成された電子装置のチルト装置の作動を説明する。
図１６の（ｇ）に示すように、電子装置ＡのハウジングＡ１の下面部に設けた接地部８０と、チルト支脚１２のチルト脚部材１３の端部の接地ブロック６８とを設置面Ｆに当接させて、チルトステー１４の係止部７２の第１、第２の係止片部７２Ａ，７２Ｂを、条溝１５に設けられた上端壁面部２５の第１、第２の係止歯列１７、１８上部に位置する係止片受部２５Ａ（図８参照）に係脱可能に係止した状態では、電子装置Ａは、その設置面Ｆに対して２０度傾斜角度を保持している。
【００３５】
次に、電子装置Ａを手で前方に引き起こすことにより、係止部７２の第１、第２の係止片部７２Ａ、７２Ｂを係止歯１９−１の傾斜面部２１Ａから歯端部２１を越して係止面部２１Ｂに移行させ、電子装置Ａの前方へ引き起こしを解除することにより、図１６の（ｆ）に示すように、第１、第２の係止片部７２Ａ、７２Ｂを係止歯１９−１の係止面部２１Ｂに係止して電子装置Ａの姿勢を傾斜角３０度に保持する。
【００３６】
次に、電子装置Ａの姿勢を４０度にする場合には、電子装置Ａを手で前方に引き起こすことにより、係止部７２の第１、第２の係止片部７２Ａ、７２Ｂを係止歯１９−２の傾斜面部２１Ａから歯端面２１を越して係止面部２１Ｂに移行させ、電子装置Ａの前方へ引き起こしを解除することにより、図１６の（ｅ）に示すように、第１、第２の係止片部７２Ａ、７２Ｂを係止歯１９−２の係止面部２１Ｂに係止して電子装置Ａの姿勢を傾斜角４０度に保持する。
【００３７】
次に、電子装置Ａの姿勢を５０度にする場合には、電子装置Ａを手で前方に引き起こすことにより、係止部７２の第１、第２の係止片部７２Ａ、７２Ｂを係止歯１９−３の傾斜面部２１Ａから歯端部２１を越して係止面部２１Ｂに移行させ、電子装置Ａの前方への引き起こしを解除することにより、図１６の（ｄ）に示すように、第１、第２の係止片部７２Ａ、７２Ｂを係止歯１９−３の係止面部２１Ｂに係止して電子装置Ａの姿勢を傾斜角５０度に保持する。
【００３８】
次に、電子装置Ａの姿勢を６０度にする場合には、電子装置Ａを手で前方に引き起こすことにより、係止部７２の第１、第２の係止片部７２Ａ、７２Ｂを係止歯１９−４の傾斜面部２１Ａから歯端面２１を越して係止面部２１Ｂに移行させ、電子装置Ａの前方への引き起こしを解除することにより、図１６の（ｃ）に示すように、第１、第２の係止片部７２Ａ、７２Ｂを係止歯１９−４の係止面部２１Ｂに係止して電子装置Ａの姿勢を傾斜角６０度に保持する。
【００３９】
次に、電子装置Ａの姿勢を７０度にする場合には、電子装置Ａを手で前方に引き起こすことにより、係止部７２の第１、第２の係止片部７２Ａ、７２Ｂを係止歯１９−５の傾斜面部２１Ａから歯端面２１を越して係止面部２１Ｂに移行させ、電子装置Ａの前方への引き起こしを解除することにより、図１６の（ｂ）に示すように、第１、第２の係止片部７２Ａ、７２Ｂを係止歯１９−５の係止面部２１Ｂに係止して電子装置Ａの姿勢を傾斜角７０度に保持する。
【００４０】
また、同時に、電子装置Ａの姿勢を８０度にする場合には、電子装置Ａを手で前方に引き起こすことにより、係止部７２の第１、第２の係止片部７２Ａ、７２Ｂを係止歯１９−６の傾斜面部２１Ａから歯端面２１を越して係止面部２１Ｂに移行させ、電子装置Ａの前方への引き起こしを解除することにより、図１６の（ａ）に示すように、第１、第２の係止片部７２Ａ、７２Ｂを係止歯１９−６の係止面部２１Ｂに係止して電子装置Ａの姿勢を傾斜角８０度に保持する。
【００４１】
次に、図１６の（ａ）〜（ｆ）のいずれかに示す状態（電子装置Ａが設置面Ｆに対して３０、４０、５０、６０、７０又は８０度の傾斜角度を保持している状態）から、電子装置Ａを手で前方に倒して傾斜角度を８０度以上（例えば、図１３に示すように、電子装置Ａが設置面Ｆに対して直立している状態）にすると、チルトステー１４は捩じりばね７７の付勢力により下方に回動し、係止部７２の第１、第２の係止片部７２Ａ、７２Ｂが前記下側切替案内部２３に移行して、第１の係止片部７２Ａは斜面部３７に乗り上げると共に、第２の係止片部７２Ｂは斜面部３９に乗り上げる。斜面部３７は第１のスライド溝部２０Ａ側及び斜面部３４側に傾斜し、斜面部３９は第２のスライド溝部２０Ｂ側及び斜面部３５側に傾斜しているために、第１、第２の係止片部７２Ａ、７２Ｂはそれぞれの斜面部３７、３９を滑り、さらに、第１のスライド溝部２０Ａ側に傾斜している斜面部３４及び第２のスライド溝部２０Ｂ側に傾斜している斜面部３５のそれぞれを滑って、第１の係止片部７２Ａは第１のスライド溝部２０Ａに、第２の係止片部７２Ｂは第２のスライド溝部２０Ｂにそれぞれ移行する。なお、図１３に示すように、電子装置Ａが設置面Ｆに対して直立している状態のときには、部材本体４７の基部側面部４５Ｅがチルト支脚枢支部１１のステー回止め部４６に当接して、チルト脚部材１３の揺動を止めている。
【００４２】
これら図１６の（ｇ）〜（ａ）のいずれの場合も、ハウジングＡ１の下部の裏側左右の過度に形成した接地部８０を基点とし、電子装置Ａの接地面Ｆに対する傾斜角度が変わり、傾斜角度が大きくなるにつれてチルト脚部材１３の先端下部の接地ブロック６８がハウジングＡ１の下面部に設けた接地部８０に近付いてくる。
【００４３】
次に、電子装置Ａを手で後方に倒すことにより、第１の係止片部７２Ａは第１のスライド溝部２０Ａを、第２の係止片部７２Ｂは第２のスライド溝部２０Ｂをそれぞれ滑って、第１、第２のスライド溝部２０Ａ、２０Ｂの上端部に位置する上側切替案内部２２に移行する。
【００４４】
この上側切替案内部２２においては、係止部７２の第１の係止片部７２Ａが第１の乗り上げ面部２７に、係止部７２の第２の係止片部７２Ｂが第２の乗上げ面部２８にそれぞれ乗上げる。次に、係止部７２の第１の係止片部７２Ａが、側壁部１５Ａと上端壁面部２５とに対して約１３５度傾斜している傾斜壁面２６にぶつかる。この後、電子装置Ａの後方への倒しを解除することにより、電子装置Ａの上部にかかる自重によって、係止部７２の第１の係止片部７２Ａが傾斜壁面２６を滑り、係止部７２は側壁部１５Ｂ側に移行する。また、第１の乗上げ面部２７は第１の係止歯列１７の上端の係止歯１９−１の傾斜面部２１Ａを形成する前記凹部２４側に傾斜する斜面部３０を有し、第２の乗上げ面部２８は第２の係止歯列１８の上端の係止歯１９−１の傾斜面部２１Ａを形成する前記凹部２４側に傾斜する斜面部３２を有していて、チルトステー１４は捩じりばね７７により支承ビン７５とビン孔７１との間のクリアランスの分だけ左方向に傾くように付勢されているために、係止部７２の第１の係止片部７２Ａが第１の係止歯列１７の上端の係止歯１９−１の傾斜面部を形成する凹部２４側に、第２の係止片部７２Ｂが第２の係止歯列１８の上端の係止歯１９−１の傾斜面部２１Ａを形成する凹部２４側にそれぞれ移行する。
【００４５】
これによって、前記したとおり、図１６の（ｇ）に示すように、チルトステー１４の係止部７２の第１、第２の係止片部７２Ａ、７２Ｂが条溝１５に設けられた上端壁面部２５の第１、第２の係止歯列１７、１８上部に位置する係止片受部２５Ａに係止した状態になり、電子装置ＡのハウジングＡ１の下面部に設けた接地部８０と、チルト支脚１２のチルト脚部材１３の端部の接地ブロック６８とが設置面Ｆに当接して、電子装置Ａが設置面Ｆに対して２０度の傾斜角度を保持した状態に置かれる。なお、この後の傾斜角の調整／設定方法は、前記したとおりであり、３０、４０、５０、６０、７０又は８０度のいずれかに任意に調整／設定することができる。
【００４６】
なお、電子装置Ａが接地面Ｆに対して８０度以上から２０度の傾斜書くに移動する際は、図１７に示すように、チルト脚部材１３の先端下側の接地ブロック６８を基点都市、電子装置Ａが可変する。電子装置Ａの傾斜角度が小さくなるにつれ電子装置ＡのハウジングＡ１の下面部に設けた接地部８０が、チルト脚部材１３の先端下側の接地ブロック６８から遠ざかっていく。
【００４７】
また、前記レベル調整機構Ｈによるレベル調整（調整量ｈ）は、図１８の（１）、（２）に示すように調整ねじ６９を回転することにより、この調整ねじ６９の端部で前記板ばね６５の端部上面を下方に押圧してこの板ばね６５を撓ませ、この板ばね６５の先側の裏面に固着した接地ブロック６８を下方に移行させることによりチルト脚部材１３の端部を持ち上げるか、この状態で調整ねじ６９を逆回転させてチルト脚部材１３の端部を下降させて行われる。
【００４８】
また、上記にように構成された電子装置Ａのチルト装置には、図１９、図２０に示すように左右のチルト支脚１２を連結部材８４で互いに連結することも可能である。すなわち、左右のチルト支脚１２のチルト脚部材１３の下面には前後に位置させて取付ボス部８５、８６が形成してあり、左のチルト支脚１２のチルト脚部材１３の取付ボス部８５、８６に、連結部材８４の左側の前後の取付部８４Ａ、８４Ｂをねじ８７で固定し、右のチルト支脚１２のチルト脚部材１３の取付ボス部８５、８６に、連結部材８４の右側の前後の取付部８４Ａ、８４Ｂをねじ８７で固定して左右のチルト支脚１２を連結部材８４で互いに連結する。
【００４９】
上記のように左右のチルト支脚１２を連結部材８４で互いに連結することにより、左右のチルト支脚１２を同時に回動することが可能になり、電子装置Ａの姿勢調整操作がより容易にできるようになる。
【００５０】
また、図２１に示すように電子装置Ａの左、右方に、この電子装置Ａに接続してハンズフリーユニット９０、モニタースピーカー９１を取り付けることができる。すなわち、電子装置ＡのハウジングＡ１の裏側の左、右側部位には、図４の（１）に示すようにチルト支脚枢支部１１の上、下方に位置させてねじ孔９２、９３が設けてあり、また、これらのねじ孔９２、９３を利用して、図２１に示すようにハウジングＡ１の裏側の左、右側部位に平面エ字形状の接続部材９４の一方の取付部９４ａをねじ９５で固定し、接続部材９４の他方の取付部９４ｂをねじ９５でハンズフリーユニット９０及びモニタースピーカー９１の裏側に固定して、ハンズフリーユニット９０、モニタースピーカー９１が電子装置Ａの左、右方に接続される。
【００５１】
なお、前記ハンズフリーユニット９０は、グループ内一斉指令（自動応答）、インタートークに使用されるものであり、マイクロホン９６、ボリューム９７、スピーカー９８を備えている。また、モニタースピーカー９１は、スピーカー９９と回線ボリューム１００とチャンネル内訳表示（ＬＣＤ）１０１とを備えたパネル１０２を有し、１つのスピーカー９９に４回線接続し、回線ボリューム１００により切り替えることにより、１番回線はブローカー情報を、２番回線はＣＮＮをチャンネル内訳表示（ＬＣＤ）１０１に表示するようにしたものである。また、モニタースピーカー９１は、パネル１０２を入れ替えることにより他の機構品とすることが可能である。
【００５２】
また、上記した実施の形態にあっては、電子装置Ａの裏面Ａ２に設けられたチルト装置Ｔは、この裏面Ａ２の左、右側に設けられた係止部１０と、裏面Ａ２の左、右側に設けられて係止部１０の下方に位置するチルト脚枢支部１１と、このチルト脚枢支部１１に着脱可能に連結されるチルト支脚１２とから略構成して、このチルト支脚１２のチルトステー１４の第１、第２の係止片部７２Ａ、７２Ｂを、前記係止部１０に係脱可能に係止したが、図２２に示すようにチルト支脚１２のチルト脚部材１３に前記係止部１０を設け、電子装置Ａの裏面Ａ２の左、右側にチルトステー１４の基部を前後方向に揺動可能に設けて、チルトステー１４の第１、第２の係止片部７２Ａ、７２Ｂを、前記係止部１０に係脱可能に係止するようにしてもよい。
【００５３】
【発明の効果】
以上説明したように、請求項１の発明に関わる電子装置のチルト装置によれば、装置本体に取り付けられる基端部及び設置面に当接する先端部を有するチルト脚部材と、一端が該チルト脚部材の中間部に取り付けられ該チルト脚部材と共働して前記装置本体を所定の傾斜角度に支えるチルトステーとを有するチルト支脚と、前記装置本体の裏面に設けられており、前記チルト支脚のチルトステーが選択的に係脱可能に係合する複数の係止歯を縦列させた係止歯列を有する係止部と、前記装置本体の下面部に設けられた前記設置面に当接する接地部と、前記チルト脚部材の基端部を連結して前記チルト支脚を装置本体に揺動可能に取り付けるチルト支脚枢支部であって、前記係止部の下方で且つ前記接地部の上方に位置するチルト支脚枢支部と、前記チルト支脚に設けられており、前記チルトステーの他端を前記係止部側に付勢する付勢手段と、前記装置本体及び前記チルト支脚の設置面に当接する側に設けられた滑り止め手段とを備えたことにより、前記装置本体の前傾操作(引き起こし操作)により前記チルトステーを前記係止部の係止歯列の複数の係止歯上に滑らせ、前傾操作を停止することにより前記チルトステーを複数の係止歯のいずれかに選択的に係脱可能に係止させて装置本体をある角度に保持する。
【００５４】
このように、前記チルト支脚を手で触ることなく、前記装置本体を前、後傾操作するだけで装置本体を選択的に所定の角度に保持することが可能になる。そして、前記装置本体の傾斜角度を大きくするに従って、チルト脚部材の先端下部が装置本体側の当接面側に必然的に移動する。また、前記装置本体の傾斜角度を小さくすると、装置本体の当接面が、チルト脚部材の先端下部面から遠ざかる方向に移動するようになり、装置本体の傾斜角度変更を容易に行うことができる。この場合において、前記滑り止め手段があることにより、操作性の安定を図ることができ、すべてのオペレータに対応させ得て、操作機器の操作性、表示部の視認性の向上を図り得る。
【００５５】
また、請求項２の発明に係わる電子装置のチルト装置によれば、請求項１記載の電子装置のチルト装置において、前記滑り止め手段を、前記装置本体の設置面に当接する側に設けられた接地部と、前記チルト支脚の設置面に当接する側に設けられ且つ前記接地部の摩擦係数より大きい摩擦係数を有する接地ブロックとで構成したことにより、上記した請求項１の発明の効果と同様な効果を奏し得るばかりか、前記装置本体の傾斜角度を大きくする場合は、装置本体の接地部を基点として可動し、前記装置本体の傾斜角度を小さくする場合は、前記チルト支脚の接地ブロックを基点として可動するため、傾斜角度の調整を容易に行うことができる。
【００５６】
また、接地部より接地ブロックの摩擦係数を大きくしたことにより、前記装置本体の傾斜角度が大きいときでも、電子装置を安定的に保持し操作性を向上させることができる。
【００５７】
また、請求項３の発明に係わる電子装置のチルト装置によれば、請求項２記載の電子装置のチルト装置において、前記接地部を、装置本体のハウジングの下側部位の裏側に左右方向に所定の間隔をおいて複数の縦スリットを形成した構成したことにより、上記した請求項１又は請求項２の発明の効果と同様な効果を奏し得るばかりか、前記接地部の構成が簡単であって、容易に製作することができる。
【図面の簡単な説明】
【図１】本発明に係わるチルト装置を備えた電子装置をディーリングボードにセットしたシステム構成の斜視図である。
【図２】本発明に係わるチルト装置を備えた電子装置の表側からの斜視図である。
【図３】同電子装置の裏側からの斜視図である。
【図４】（１）は同電子装置の裏面図である。（２）は（１）のＣ−Ｃ線に沿う断面図である。
【図５】図４の（１）のＤ部の拡大図である。
【図６】（１）は図５のオ−オ線に沿う断面図である。
（２）は図５のカ−カ線に沿う断面図である。
【図７】（１）は図５のア−ア線に沿う断面図である。
（２）は図５のイ−イ線に沿う断面図である。
（３）は図５のウ−ウ線に沿う断面図である。
（４）は図５のエ−エ線に沿う断面図である。
【図８】本発明に係わる電子装置のチルト装置における係止部の上側切替案内部の斜視図である。
【図９】本発明に係わる電子装置のチルト装置における係止部の下側切替案内部の斜視図である。
【図１０】本発明に係わる電子装置のチルト装置におけるチルト支脚枢支部の一部省略した斜視図である。
【図１１】本発明に係わる電子装置のチルト装置におけるチルト支脚の分解状態の斜視図である。
【図１２】同チルト支脚の縦断面図である。
【図１３】本発明に係わる電子装置のチルト装置において電子装置を直立状態にした場合の作用説明図である。
【図１４】本発明に係わる電子装置のチルト装置においてチルトステーがスライド溝部に位置する場合の作用説明図である。
【図１５】本発明に係わる電子装置のチルト装置においてチルトステートが係止歯列の最再上位に位置する場合の作用説明図である。
【図１６】本発明に係わる電子装置のチルト装置におけるチルト動作の説明図である。
【図１７】本発明に係わる電子装置のチルト装置におけるチルト動作の説明図である。
【図１８】（１）は本発明に係わる電子装置のチルト装置におけるレベル調整前の説明図である。
（２）は本発明に係わる電子装置のチルト装置におけるレベル調整後の説明図である。
【図１９】本発明に係わるチルト装置の他の実施の形態を備えた電子装置の裏側からの斜視図である。
【図２０】同電子装置のチルト装置の縦断面図である。
【図２１】本発明に係わるチルト装置の別の他の実施の形態を備えた電子装置の表側からの斜視図である。
【図２２】同電子装置の連結機構の説明図である。
【図２３】本発明に係わるチルト装置の別の他の実施の形態を備えた電子装置の裏側からの斜視図である。
【図２４】従来のチルト装置を備えた電子装置の表側からの斜視図である。
【符号の説明】
１    装置本体
Ａ１  ハウジング
１０  係止部
１１  チルト支脚枢支部
１２  チルト支脚
１３  チルト脚部材
１４  チルトステー
１７、１８  係止歯列
１９−１〜１９−６  係止歯
２０Ａ，２０Ｂ  スライド溝部（帰還経路）
２２  上側切替案内部（一方の切替案内部）
２３  下側切替案内部（他方の切替案内部）
６８  接地ブロック
７７  捩じりばね（付勢手段）
８０  接地部
【図１】
0003665840.tif 000002
【図２】
0003665840.tif 000003
【図３】
0003665840.tif 000004
【図４】
0003665840.tif 000005
【図５】
0003665840.tif 000006
【図６】
0003665840.tif 000007
【図７】
0003665840.tif 000008
【図８】
0003665840.tif 000009
【図９】
0003665840.tif 000010
【図１０】
0003665840.tif 000011
【図１１】
0003665840.tif 000012
【図１２】
0003665840.tif 000013
【図１３】
0003665840.tif 000014
【図１４】
0003665840.tif 000015
【図１５】
0003665840.tif 000016
【図１６】
0003665840.tif 000017
【図１７】
0003665840.tif 000018
【図１８】
0003665840.tif 000019
【図１９】
0003665840.tif 000020
【図２０】
0003665840.tif 000021
【図２１】
0003665840.tif 000022
【図２２】
0003665840.tif 000023
【図２３】
0003665840.tif 000024
【図２４】
0003665840.tif 000025